(57)【要約】【課題】商品イメージを、視覚的に、持続的に、かつ、容易に、ユーザに与え、宣伝効果および販売意欲を促すことが可能な購買システム、端末装置、商品情報取得方法およびプログラムを提供する。【解決手段】携帯端末１００は、商品の購入時に使用された会員ＩＤを、ＵＲＬ変換サーバ５００に送信すると、その商品に関する画像情報の格納先を示す格納先情報（ＵＲＬ）を、ＵＲＬ変換サーバ５００から受け付ける。携帯端末１００は、その格納先情報（ＵＲＬ）を用いて、その画像情報を取得し、その画像情報を蓄積管理する。【選択図】図１
2007256999.tif 000002
【特許請求の範囲】
【請求項１】
利用者ＩＤを格納している端末装置と、前記利用者ＩＤを用いて商品会計処理を行う処理装置と、前記端末装置および前記処理装置と通信可能な格納先提供装置と、前記端末装置と通信可能なコンテンツ提供装置と、を含む購買システムであって、
前記処理装置は、
前記端末装置から前記利用者ＩＤを読み取る読取部と、
購入される商品を識別するための商品ＩＤを受け付ける受付部と、
前記読取部が読み取った利用者ＩＤと、前記受付部が受け付けた商品ＩＤとを、前記格納先提供装置に送信する送信制御部と、を含み、
前記格納先提供装置は、
商品ごとに、前記商品ＩＤを、該商品に関する画像情報の格納先を表す格納先情報と対応づけて格納している格納部と、
前記処理装置から前記利用者ＩＤおよび前記商品ＩＤを受け付けた場合、該利用者ＩＤを該商品ＩＤと対応づけて前記格納部に格納し、また、前記端末装置から前記利用者ＩＤを受け付けた場合、前記格納部を参照して該利用者ＩＤに対応する商品ＩＤを特定し、該商品ＩＤに対応する格納先情報を該格納部から読み出し、該格納先情報を該端末装置に提供する格納先提供部と、を含み、
前記コンテンツ提供装置は、
前記画像情報を格納しているコンテンツ格納部と、
前記端末装置からアクセスされると、前記コンテンツ格納部に格納されている画像情報を前記端末装置に提供するコンテンツ提供部と、を含み、
前記端末装置は、
前記利用者ＩＤを格納している利用者ＩＤ格納部と、
前記格納先提供装置に前記利用者ＩＤを送信し、その後、該格納先提供装置から前記格納先情報を受け付ける要求部と、
前記要求部が受け付けた格納先情報に表された格納先にアクセスし、その後、前記画像情報を取得し、該画像情報を蓄積管理する蓄積管理部と、
前記蓄積管理部が蓄積している画像情報を描画する描画部と、を含む、購買システム。
【請求項２】
請求項１に記載の購買システムにおいて、
前記蓄積管理部は、前記画像情報を削除する旨の削除指示を受け付けると、該画像情報を削除する、購買システム。
【請求項３】
利用者ＩＤを受け付ける入力部と、購入される商品を識別するための商品ＩＤを受け付ける受付部と、前記利用者ＩＤと前記商品ＩＤに基づき商品会計処理を行いまた該利用者ＩＤと該商品ＩＤを送信する送信制御部と、を含む処理装置と、
商品ごとに前記商品ＩＤを該商品に関する画像情報の格納先を表す格納先情報と対応づけて格納している格納部と、前記処理装置から前記利用者ＩＤおよび前記商品ＩＤを受け付けた場合には該利用者ＩＤを該商品ＩＤと対応づけて前記格納部に格納し、前記利用者ＩＤを受け付けた場合には前記格納部を参照して該利用者ＩＤに対応する商品ＩＤを特定し該商品ＩＤに対応する格納先情報を該格納部から読み出し該格納先情報を該利用者ＩＤの送信元に提供する格納先提供部と、を含む格納先提供装置と、
前記画像情報を格納しているコンテンツ格納部と、アクセスされると前記コンテンツ格納部に格納されている画像情報を提供するコンテンツ提供部と、を含むコンテンツ提供装置と、
を含む商品情報提供システムと、通信可能な端末装置であって、
前記利用者ＩＤを格納している利用者ＩＤ格納部と、
前記格納先提供装置に前記利用者ＩＤを送信し、その後、該格納先提供装置から前記格納先情報を受け付ける要求部と、
前記要求部が受け付けた格納先情報に表された格納先にアクセスし、その後、前記画像情報を取得し、該画像情報を蓄積管理する蓄積管理部と、
前記蓄積管理部が蓄積している画像情報を描画する描画部と、を含む、端末装置。
【請求項４】
請求項３に記載の端末装置において、
前記蓄積管理部は、前記画像情報を削除する旨の削除指示を受け付けると、該画像情報を削除する、端末装置。
【請求項５】
端末装置に格納されている利用者ＩＤを用いて商品会計処理を行う処理装置と、前記端末装置および前記処理装置と通信可能な格納先提供装置と、を含む商品情報提供システムであって、
前記処理装置は、
前記端末装置から前記利用者ＩＤを読み取る読取部と、
購入される商品を識別するための商品ＩＤを受け付ける受付部と、
前記読取部が読み取った利用者ＩＤと、前記受付部が受け付けた商品ＩＤとを、前記格納先提供装置に送信する送信制御部と、を含み、
前記格納先提供装置は、
商品ごとに、前記商品ＩＤを、該商品に関する画像情報の格納先を表す格納先情報と対応づけて格納している格納部と、
前記処理装置から前記利用者ＩＤおよび前記商品ＩＤを受け付けた場合、該利用者ＩＤを該商品ＩＤと対応づけて前記格納部に格納し、また、前記端末装置から前記利用者ＩＤを受け付けた場合、前記格納部を参照して該利用者ＩＤに対応する商品ＩＤを特定し、該商品ＩＤに対応する格納先情報を該格納部から読み出し、該格納先情報を該端末装置に提供する格納先提供部と、を含む、商品情報提供システム。
【請求項６】
利用者ＩＤを格納している端末装置と、前記利用者ＩＤを用いて商品会計処理を行う処理装置と、商品ごとに商品ＩＤを該商品に関する画像情報の格納先を表す格納先情報と対応づけて格納している格納部を含む格納先提供装置と、前記画像情報を格納しているコンテンツ格納部を含むコンテンツ提供装置と、を含む購買システムが行う商品情報取得方法であって、
前記処理装置が、前記端末装置から前記利用者ＩＤを読み取る読取ステップと、
前記処理装置が、購入される商品を識別するための商品ＩＤを受け付ける受付ステップと、
前記処理装置が、前記利用者ＩＤと前記商品ＩＤとを、前記格納先提供装置に送信する送信制御ステップと、
前記格納先提供装置が、前記処理装置から前記利用者ＩＤおよび前記商品ＩＤを受け付けた場合、該利用者ＩＤを該商品ＩＤと対応づけて前記格納部に格納する格納ステップと、
前記端末装置が、前記格納先提供装置に前記利用者ＩＤを送信する利用者ＩＤ送信ステップと、
前記格納先提供装置が、前記端末装置から前記利用者ＩＤを受け付けた場合、前記格納部を参照して該利用者ＩＤに対応する商品ＩＤを特定し、該商品ＩＤに対応する格納先情報を該格納部から読み出し、該格納先情報を該端末装置に提供する格納先提供ステップと、
前記端末装置が、前記格納先提供装置から前記格納先情報を受け付ける格納先受信ステップと、
前記端末装置が、前記格納先情報に表された格納先にアクセスするアクセスステップと、
前記コンテンツ提供装置が、前記端末装置からアクセスされると、前記コンテンツ格納部に格納されている画像情報を前記端末装置に提供するコンテンツ提供ステップと、
前記端末装置が、前記コンテンツ提供装置から前記画像情報を取得し、該画像情報を蓄積管理する蓄積管理ステップと、
前記端末装置が、前記蓄積されている画像情報を描画する描画ステップと、を含む商品情報取得方法。
【請求項７】
請求項６に記載の商品情報取得方法において、
前記端末装置が、前記画像情報を削除する旨の削除指示を受け付けると、該画像情報を削除する削除ステップをさらに含む、商品情報取得方法。
【請求項８】
利用者ＩＤを受け付ける入力部と、購入される商品を識別するための商品ＩＤを受け付ける受付部と、前記利用者ＩＤと前記商品ＩＤに基づき商品会計処理を行いまた該利用者ＩＤと該商品ＩＤを送信する送信制御部と、を含む処理装置と、
商品ごとに前記商品ＩＤを該商品に関する画像情報の格納先を表す格納先情報と対応づけて格納している格納部と、前記処理装置から前記利用者ＩＤおよび前記商品ＩＤを受け付けた場合には該利用者ＩＤを該商品ＩＤと対応づけて前記格納部に格納し、前記利用者ＩＤを受け付けた場合には前記格納部を参照して該利用者ＩＤに対応する商品ＩＤを特定し該商品ＩＤに対応する格納先情報を該格納部から読み出し該格納先情報を該利用者ＩＤの送信元に提供する格納先提供部と、を含む格納先提供装置と、
前記画像情報を格納しているコンテンツ格納部と、アクセスされると前記コンテンツ格納部に格納されている画像情報を提供するコンテンツ提供部と、を含むコンテンツ提供装置と、
を含む商品情報提供システムと、通信可能であり、かつ、前記利用者ＩＤを格納する利用者ＩＤ格納部を含む端末装置が行う商品情報取得方法であって、
前記格納先提供装置に前記利用者ＩＤを送信する利用者ＩＤ送信ステップと、
前記格納先提供装置から前記格納先情報を受け付ける格納先受信ステップと、
前記格納先情報に表された格納先にアクセスするアクセスステップと、
前記コンテンツ提供装置から前記画像情報を取得し、該画像情報を蓄積管理する蓄積管理ステップと、
前記蓄積されている画像情報を描画する描画ステップと、を含む商品情報取得方法。
【請求項９】
請求項８に記載の商品情報取得方法において、
前記画像情報を削除する旨の削除指示を受け付けると、該画像情報を削除する削除ステップをさらに含む、商品情報取得方法。
【請求項１０】
商品ごとに、商品ＩＤを、商品に関する画像情報の格納先を表す格納先情報と対応づけて格納している格納部を含む格納先提供装置と、端末装置に格納されている利用者ＩＤを用いて商品会計処理を行う処理装置と、を含む商品情報提供システムが行う商品情報提供方法であって、
前記処理装置が、前記端末装置から前記利用者ＩＤを読み取る読取ステップと、
前記処理装置が、購入される商品を識別するための商品ＩＤを受け付ける受付ステップと、
前記処理装置が、前記利用者ＩＤと前記商品ＩＤとを、前記格納先提供装置に送信する送信制御ステップと、
前記格納先提供装置が、前記処理装置から前記利用者ＩＤおよび前記商品ＩＤを受け付けた場合、該利用者ＩＤを該商品ＩＤと対応づけて前記格納部に格納する格納ステップと、
前記格納先提供装置が、前記端末装置から前記利用者ＩＤを受け付けた場合、前記格納部を参照して該利用者ＩＤに対応する商品ＩＤを特定し、該商品ＩＤに対応する格納先情報を該格納部から読み出し、該格納先情報を該端末装置に提供する格納先提供ステップと、を含む、商品情報提供方法。
【請求項１１】
利用者ＩＤを受け付ける入力部と、購入される商品を識別するための商品ＩＤを受け付ける受付部と、前記利用者ＩＤと前記商品ＩＤに基づき商品会計処理を行いまた該利用者ＩＤと該商品ＩＤを送信する送信制御部と、を含む処理装置と、
商品ごとに前記商品ＩＤを該商品に関する画像情報の格納先を表す格納先情報と対応づけて格納している格納部と、前記処理装置から前記利用者ＩＤおよび前記商品ＩＤを受け付けた場合には該利用者ＩＤを該商品ＩＤと対応づけて前記格納部に格納し、前記利用者ＩＤを受け付けた場合には前記格納部を参照して該利用者ＩＤに対応する商品ＩＤを特定し該商品ＩＤに対応する格納先情報を該格納部から読み出し該格納先情報を該利用者ＩＤの送信元に提供する格納先提供部と、を含む格納先提供装置と、
前記画像情報を格納しているコンテンツ格納部と、アクセスされると前記コンテンツ格納部に格納されている画像情報を提供するコンテンツ提供部と、を含むコンテンツ提供装置と、
を含む商品情報提供システムと、通信可能であり、かつ、前記利用者ＩＤを格納するコンピュータに、商品情報取得処理を実行させるプログラムであって、
前記格納先提供装置に前記利用者ＩＤを送信する利用者ＩＤ送信処理と、
前記格納先提供装置から前記格納先情報を受け付ける格納先受信処理と、
前記格納先情報に表された格納先にアクセスするアクセス処理と、
前記コンテンツ提供装置から前記画像情報を取得し、該画像情報を蓄積管理する蓄積管理処理と、
前記蓄積されている画像情報を描画する描画処理と、を含む商品情報取得処理を、前記コンピュータに実行させるプログラム。
【発明の詳細な説明】
【技術分野】
【０００１】
本発明は、購買システム、端末装置、商品情報提供システム、商品情報取得方法、商品情報提供方法およびプログラムに関し、特には、利用者ＩＤを用いて商品の売買を行う購買システム、端末装置、商品情報提供システム、商品情報取得方法、商品情報提供方法およびプログラムに関する。
【背景技術】
【０００２】
図８は、従来の購買システムを示したブロック図である。図８に示したように、従来の購買システムは、携帯端末１００ａと、近距離通信装置２００ａと、ＰＯＳ端末３００ａと、ＰＯＳシステムサーバ４００ａと、から構成されている。
【０００３】
携帯電話などの携帯端末１００ａは、近距離通信装置１０１ａを含む。近距離通信装置１０１ａは、例えば、会員ＩＤが記録されている非接触ＩＣチップであり、非接触ＩＣチップリーダなどの近距離通信装置２００ａと通信可能である。なお、会員ＩＤは、ＰＯＳ端末３００ａを用いて商品を購入できる会員を特定するための識別情報である。近距離通信装置２００ａは、ＰＯＳ端末３００ａに接続されている。ＰＯＳ端末３００ａは、コンビニまたは雑貨店などに設置されている。
【０００４】
このような構成を有する従来の購買システムは、つぎのように動作する。
【０００５】
まず、ユーザは、商品の購入時に、携帯端末１００ａの近距離通信装置１０１ａを近距離通信装置２００ａに近づけ、近距離通信装置１０１ａと近距離通信装置２００ａとの通信を可能にする。
【０００６】
ＰＯＳ端末３００ａは、近距離通信装置２００ａを用い、携帯端末１００ａの近距離通信装置１０１ａから会員ＩＤを得る。また、ＰＯＳ端末３００ａは、実際にユーザが購入した商品３００ｂのＪＡＮコードなどの購買情報を読み取る。なお、購買情報は、商品３００ｂを識別するための識別情報（商品ＩＤ）として用いられる。
【０００７】
ＰＯＳ端末３００ａは、会員ＩＤおよび購買情報に基づいて商品の会計処理を行い、また、ＰＯＳシステムサーバ４００ａに、会員ＩＤと購買情報とを送る。
【０００８】
特許文献１（特開２００２−７３４４９号公報）には、商品コードを受け付けると、その商品コードに関連する商品情報を入手し、その商品情報を記録媒体に記録する携帯電話が記載されている。
【特許文献１】特開２００２−７３４４９号公報
【発明の開示】
【発明が解決しようとする課題】
【０００９】
従来の購買システムでは、ユーザは、商品の購入時に、購買履歴が文字で記録されている紙のレシートを取得できるが、携帯電話に商品イメージに連動したコンテンツを格納して、その商品を覚えておくことができず、購入した商品のイメージや購入したこと自体も忘れてしまう。また、買った商品の印象はその場かぎりのものとなってしまい、次の購買に繋げることが難しい。
【００１０】
このため、商品イメージを視覚的にかつ持続的にユーザ与え、宣伝効果および販売意欲を促すことができない。
【００１１】
特許文献１に記載の携帯電話では、記録媒体に記録された商品情報を閲覧したり削除したりするなど、商品情報を管理することができない。また、ユーザは、購入した商品の情報を携帯電話に記録する場合、その商品の商品コードを取得しなければならないという問題があった。
【００１２】
本発明の目的は、商品イメージを、視覚的に、持続的に、かつ、容易に、ユーザに与え、宣伝効果および販売意欲を促すことが可能な購買システム、端末装置、商品情報取得方法およびプログラムを提供することである。
【課題を解決するための手段】
【００１３】
上記目的を達成するために、本発明の購買システムは、利用者ＩＤを格納している端末装置と、前記利用者ＩＤを用いて商品会計処理を行う処理装置と、前記端末装置および前記処理装置と通信可能な格納先提供装置と、前記端末装置と通信可能なコンテンツ提供装置と、を含む購買システムであって、前記処理装置は、前記端末装置から前記利用者ＩＤを読み取る読取部と、購入される商品を識別するための商品ＩＤを受け付ける受付部と、前記読取部が読み取った利用者ＩＤと、前記受付部が受け付けた商品ＩＤとを、前記格納先提供装置に送信する送信制御部と、を含み、前記格納先提供装置は、商品ごとに、前記商品ＩＤを、該商品に関する画像情報の格納先を表す格納先情報と対応づけて格納している格納部と、前記処理装置から前記利用者ＩＤおよび前記商品ＩＤを受け付けた場合、該利用者ＩＤを該商品ＩＤと対応づけて前記格納部に格納し、また、前記端末装置から前記利用者ＩＤを受け付けた場合、前記格納部を参照して該利用者ＩＤに対応する商品ＩＤを特定し、該商品ＩＤに対応する格納先情報を該格納部から読み出し、該格納先情報を該端末装置に提供する格納先提供部と、を含み、前記コンテンツ提供装置は、前記画像情報を格納しているコンテンツ格納部と、前記端末装置からアクセスされると、前記コンテンツ格納部に格納されている画像情報を前記端末装置に提供するコンテンツ提供部と、を含み、前記端末装置は、前記利用者ＩＤを格納している利用者ＩＤ格納部と、前記格納先提供装置に前記利用者ＩＤを送信し、その後、該格納先提供装置から前記格納先情報を受け付ける要求部と、前記要求部が受け付けた格納先情報に表された格納先にアクセスし、その後、前記画像情報を取得し、該画像情報を蓄積管理する蓄積管理部と、前記蓄積管理部が蓄積している画像情報を描画する描画部と、を含む。
【００１４】
また、本発明の商品情報取得方法は、利用者ＩＤを格納している端末装置と、前記利用者ＩＤを用いて商品会計処理を行う処理装置と、商品ごとに商品ＩＤを該商品に関する画像情報の格納先を表す格納先情報と対応づけて格納している格納部を含む格納先提供装置と、前記画像情報を格納しているコンテンツ格納部を含むコンテンツ提供装置と、を含む購買システムが行う商品情報取得方法であって、前記処理装置が、前記端末装置から前記利用者ＩＤを読み取る読取ステップと、前記処理装置が、購入される商品を識別するための商品ＩＤを受け付ける受付ステップと、前記処理装置が、前記利用者ＩＤと前記商品ＩＤとを、前記格納先提供装置に送信する送信制御ステップと、前記格納先提供装置が、前記処理装置から前記利用者ＩＤおよび前記商品ＩＤを受け付けた場合、該利用者ＩＤを該商品ＩＤと対応づけて前記格納部に格納する格納ステップと、前記端末装置が、前記格納先提供装置に前記利用者ＩＤを送信する利用者ＩＤ送信ステップと、前記格納先提供装置が、前記端末装置から前記利用者ＩＤを受け付けた場合、前記格納部を参照して該利用者ＩＤに対応する商品ＩＤを特定し、該商品ＩＤに対応する格納先情報を該格納部から読み出し、該格納先情報を該端末装置に提供する格納先提供ステップと、前記端末装置が、前記格納先提供装置から前記格納先情報を受け付ける格納先受信ステップと、前記端末装置が、前記格納先情報に表された格納先にアクセスするアクセスステップと、前記コンテンツ提供装置が、前記端末装置からアクセスされると、前記コンテンツ格納部に格納されている画像情報を前記端末装置に提供するコンテンツ提供ステップと、前記端末装置が、前記コンテンツ提供装置から前記画像情報を取得し、該画像情報を蓄積管理する蓄積管理ステップと、前記端末装置が、前記蓄積されている画像情報を描画する描画ステップと、を含む。
【００１５】
また、本発明の端末装置は、利用者ＩＤを受け付ける入力部と、購入される商品を識別するための商品ＩＤを受け付ける受付部と、前記利用者ＩＤと前記商品ＩＤに基づき商品会計処理を行いまた該利用者ＩＤと該商品ＩＤを送信する送信制御部と、を含む処理装置と、商品ごとに前記商品ＩＤを該商品に関する画像情報の格納先を表す格納先情報と対応づけて格納している格納部と、前記処理装置から前記利用者ＩＤおよび前記商品ＩＤを受け付けた場合には該利用者ＩＤを該商品ＩＤと対応づけて前記格納部に格納し、前記利用者ＩＤを受け付けた場合には前記格納部を参照して該利用者ＩＤに対応する商品ＩＤを特定し該商品ＩＤに対応する格納先情報を該格納部から読み出し該格納先情報を該利用者ＩＤの送信元に提供する格納先提供部と、を含む格納先提供装置と、前記画像情報を格納しているコンテンツ格納部と、アクセスされると前記コンテンツ格納部に格納されている画像情報を提供するコンテンツ提供部と、を含むコンテンツ提供装置と、を含む商品情報提供システムと、通信可能な端末装置であって、前記利用者ＩＤを格納している利用者ＩＤ格納部と、前記格納先提供装置に前記利用者ＩＤを送信し、その後、該格納先提供装置から前記格納先情報を受け付ける要求部と、前記要求部が受け付けた格納先情報に表された格納先にアクセスし、その後、前記画像情報を取得し、該画像情報を蓄積管理する蓄積管理部と、前記蓄積管理部が蓄積している画像情報を描画する描画部と、を含む。
【００１６】
また、本発明の商品情報取得方法は、利用者ＩＤを受け付ける入力部と、購入される商品を識別するための商品ＩＤを受け付ける受付部と、前記利用者ＩＤと前記商品ＩＤに基づき商品会計処理を行いまた該利用者ＩＤと該商品ＩＤを送信する送信制御部と、を含む処理装置と、商品ごとに前記商品ＩＤを該商品に関する画像情報の格納先を表す格納先情報と対応づけて格納している格納部と、前記処理装置から前記利用者ＩＤおよび前記商品ＩＤを受け付けた場合には該利用者ＩＤを該商品ＩＤと対応づけて前記格納部に格納し、前記利用者ＩＤを受け付けた場合には前記格納部を参照して該利用者ＩＤに対応する商品ＩＤを特定し該商品ＩＤに対応する格納先情報を該格納部から読み出し該格納先情報を該利用者ＩＤの送信元に提供する格納先提供部と、を含む格納先提供装置と、前記画像情報を格納しているコンテンツ格納部と、アクセスされると前記コンテンツ格納部に格納されている画像情報を提供するコンテンツ提供部と、を含むコンテンツ提供装置と、を含む商品情報提供システムと、通信可能であり、かつ、前記利用者ＩＤを格納する利用者ＩＤ格納部を含む端末装置が行う商品情報取得方法であって、前記格納先提供装置に前記利用者ＩＤを送信する利用者ＩＤ送信ステップと、前記格納先提供装置から前記格納先情報を受け付ける格納先受信ステップと、前記格納先情報に表された格納先にアクセスするアクセスステップと、前記コンテンツ提供装置から前記画像情報を取得し、該画像情報を蓄積管理する蓄積管理ステップと、前記蓄積されている画像情報を描画する描画ステップと、を含む。
【００１７】
また、本発明の商品情報提供システムは、端末装置に格納されている利用者ＩＤを用いて商品会計処理を行う処理装置と、前記端末装置および前記処理装置と通信可能な格納先提供装置と、を含む商品情報提供システムであって、前記処理装置は、前記端末装置から前記利用者ＩＤを読み取る読取部と、購入される商品を識別するための商品ＩＤを受け付ける受付部と、前記読取部が読み取った利用者ＩＤと、前記受付部が受け付けた商品ＩＤとを、前記格納先提供装置に送信する送信制御部と、を含み、前記格納先提供装置は、商品ごとに、前記商品ＩＤを、該商品に関する画像情報の格納先を表す格納先情報と対応づけて格納している格納部と、前記処理装置から前記利用者ＩＤおよび前記商品ＩＤを受け付けた場合、該利用者ＩＤを該商品ＩＤと対応づけて前記格納部に格納し、また、前記端末装置から前記利用者ＩＤを受け付けた場合、前記格納部を参照して該利用者ＩＤに対応する商品ＩＤを特定し、該商品ＩＤに対応する格納先情報を該格納部から読み出し、該格納先情報を該端末装置に提供する格納先提供部と、を含む。
【００１８】
また、本発明の商品情報提供方法は、商品ごとに、商品ＩＤを、商品に関する画像情報の格納先を表す格納先情報と対応づけて格納している格納部を含む格納先提供装置と、端末装置に格納されている利用者ＩＤを用いて商品会計処理を行う処理装置と、を含む商品情報提供システムが行う商品情報提供方法であって、前記処理装置が、前記端末装置から前記利用者ＩＤを読み取る読取ステップと、前記処理装置が、購入される商品を識別するための商品ＩＤを受け付ける受付ステップと、前記処理装置が、前記利用者ＩＤと前記商品ＩＤとを、前記格納先提供装置に送信する送信制御ステップと、前記格納先提供装置が、前記処理装置から前記利用者ＩＤおよび前記商品ＩＤを受け付けた場合、該利用者ＩＤを該商品ＩＤと対応づけて前記格納部に格納する格納ステップと、前記格納先提供装置が、前記端末装置から前記利用者ＩＤを受け付けた場合、前記格納部を参照して該利用者ＩＤに対応する商品ＩＤを特定し、該商品ＩＤに対応する格納先情報を該格納部から読み出し、該格納先情報を該端末装置に提供する格納先提供ステップと、を含む。
【００１９】
上記発明によれば、端末装置は、商品の購入時に使用された利用者ＩＤを、格納先提供装置に送信すると、その商品に関する画像情報の格納先を示す格納先情報を、格納先提供装置から受け付ける。端末装置は、その格納先情報を用いて、その画像情報を取得し、その画像情報を蓄積管理する。
【００２０】
このため、ユーザは、端末装置に購買履歴のように格納・蓄積されている、実際に購入した商品に対応した視覚的効果のあるコンテンツ（画像情報）を、インターネットの接続することなく、オフラインでスピーディに閲覧でき、管理できる。
【００２１】
また、ユーザは、端末装置を利用してオフラインで頻繁に閲覧できるため、商品イメージを持ち続けることができる。
【００２２】
また、商品コードではなく、商品の購入時に使用された利用者ＩＤを用いて、コンテンツ（画像情報）を取得できるため、商品コードを取得する煩わしさを解消することが可能となる。
【００２３】
よって、商品イメージを、視覚的に、持続的に、かつ、容易に、ユーザに与え、宣伝効果および販売意欲を促すことが可能になる。
【００２４】
なお、前記蓄積管理部は、前記画像情報を削除する旨の削除指示を受け付けると、該画像情報を削除することが望ましい。
【００２５】
上記発明によれば、不要な画像情報を適宜削除できる。
【００２６】
また、本発明のプログラムは、利用者ＩＤを受け付ける入力部と、購入される商品を識別するための商品ＩＤを受け付ける受付部と、前記利用者ＩＤと前記商品ＩＤに基づき商品会計処理を行いまた該利用者ＩＤと該商品ＩＤを送信する送信制御部と、を含む処理装置と、商品ごとに前記商品ＩＤを該商品に関する画像情報の格納先を表す格納先情報と対応づけて格納している格納部と、前記処理装置から前記利用者ＩＤおよび前記商品ＩＤを受け付けた場合には該利用者ＩＤを該商品ＩＤと対応づけて前記格納部に格納し、前記利用者ＩＤを受け付けた場合には前記格納部を参照して該利用者ＩＤに対応する商品ＩＤを特定し該商品ＩＤに対応する格納先情報を該格納部から読み出し該格納先情報を該利用者ＩＤの送信元に提供する格納先提供部と、を含む格納先提供装置と、前記画像情報を格納しているコンテンツ格納部と、アクセスされると前記コンテンツ格納部に格納されている画像情報を提供するコンテンツ提供部と、を含むコンテンツ提供装置と、を含む商品情報提供システムと、通信可能であり、かつ、前記利用者ＩＤを格納するコンピュータに、商品情報取得処理を実行させるプログラムであって、前記格納先提供装置に前記利用者ＩＤを送信する利用者ＩＤ送信処理と、前記格納先提供装置から前記格納先情報を受け付ける格納先受信処理と、前記格納先情報に表された格納先にアクセスするアクセス処理と、前記コンテンツ提供装置から前記画像情報を取得し、該画像情報を蓄積管理する蓄積管理処理と、前記蓄積されている画像情報を描画する描画処理と、を含む商品情報取得処理を、前記コンピュータに実行させる。
【００２７】
上記発明によれば、上記商品情報取得方法をコンピュータに実行させることが可能になる。
【発明の効果】
【００２８】
本発明によれば、商品イメージを、視覚的に、持続的に、かつ、容易に、ユーザに与え、宣伝効果および販売意欲を促すことが可能になる。
【発明を実施するための最良の形態】
【００２９】
次に、本発明の実施例について図面を参照して詳細に説明する。
【００３０】
図１は、本発明の第１の実施例の購買システムを示したブロック図である。
【００３１】
図１において、購買システムは、携帯端末１００と、ＰＯＳ端末３００と、ＰＯＳシステムサーバ４００と、ＵＲＬ変換サーバ５００と、コンテンツ管理サーバ６００と、を含む。
【００３２】
携帯端末１００は、端末装置の一例である。携帯端末１００は、例えば、携帯電話であり、近距離通信装置１０１と、広域通信装置１０２と、コンテンツ要求装置１０３と、コンテンツ蓄積管理装置１０４と、描画装置１０５と、を含む。なお、携帯端末１００は、携帯電話に限らず適宜変更可能であり、例えば、ＰＤＡ（Personal Digital Assistance）でもよい。
【００３３】
近距離通信装置１０１は、例えば、会員ＩＤが記録されている非接触ＩＣチップ、または、会員ＩＤを送信する赤外線通信モジュールである。
【００３４】
会員ＩＤは、利用者ＩＤの一例であり、ＰＯＳ端末３００を用いて商品を購入できる会員を一意に識別するために、その会員に割り当てられた識別情報である。会員ＩＤは、近距離通信装置１０１の会員ＩＤ格納部１０１ａに記録されている。なお、会員ＩＤ格納部１０１ａは、利用者ＩＤ格納部の一例である。
【００３５】
広域通信装置１０２は、例えば、ＷＬＡＮ通信モジュール、または、インターネット通信モジュールである。
【００３６】
コンテンツ要求装置１０３は、要求部の一例であり、広域通信装置１０２を用い、ＵＲＬ変換サーバ５００と通信する。
【００３７】
具体的には、コンテンツ要求装置１０３は、ＵＲＬ変換サーバ５００に会員ＩＤを送り、会員ＩＤに対応するコンテンツのダウンロードのためにアクセスするコンテンツ管理サーバ６００を特定するための情報（例えば、コンテンツ管理サーバ６００のＵＲＬ）を、ＵＲＬ変換サーバ５００から獲得する。
【００３８】
コンテンツ蓄積管理装置１０４は、蓄積管理部の一例であり、広域通信装置１０２を用い、コンテンツ管理サーバ６００と通信する。
【００３９】
具体的には、コンテンツ蓄積管理装置１０４は、コンテンツ要求装置１０３がＵＲＬ変換サーバ５００から獲得した情報（例えば、コンテンツ管理サーバ６００のＵＲＬ）を用いてコンテンツ管理サーバ６００にアクセスし、会員ＩＤに対応するコンテンツを受け取り、そのコンテンツを格納し管理する。
【００４０】
また、コンテンツ蓄積管理装置１０４は、蓄積管理しているコンテンツを、ユーザの要求に応じて、削除することができる。
【００４１】
描画装置１０５は、描画部の一例であり、コンテンツ蓄積管理装置１０４に格納されたコンテンツを描画する。
【００４２】
ＰＯＳ端末３００は、処理装置の一例であり、例えば、コンビニまたは雑貨店に設置される。
【００４３】
ＰＯＳ端末３００は、近距離通信装置２００と、スキャナ２１０と、制御装置２２０と、を含む。
【００４４】
近距離通信装置２００は、読取部の一例である。近距離通信装置２００は、例えば、非接触ＩＣチップリーダ、または、赤外線通信モジュールであり、携帯端末１００の近距離通信装置１０１と通信可能である。
【００４５】
近距離通信装置１０１と近距離通信装置２００とが、非接触ＩＣチップを用いて通信する場合、近距離通信装置１０１は非接触ＩＣチップとなり、近距離通信装置２００は非接触ＩＣチップリーダとなる。
【００４６】
近距離通信装置１０１と近距離通信装置２００とが、赤外線通信を行う場合、近距離通信装置１０１および近距離通信装置２００は、赤外線通信モジュールとなる。
【００４７】
スキャナ２１０は、受付部の一例である。スキャナ２１０は、例えば、バーコードスキャナであり、商品１に付与されているＪＡＮコードなどの購買情報（コード）１ａを読み取る。この購買情報は、商品１を識別するための商品ＩＤとして用いられる。
【００４８】
なお、受付部は、スキャナ２１０に限らず適宜変更可能であり、例えば、商品ＩＤを受け付けるキーボードでもよい。
【００４９】
制御装置２２０は、送信制御部の一例である。制御装置２２０は、近距離通信装置２００を介して、近距離通信装置１０１から会員ＩＤを取得する。また、制御装置２２０は、スキャナ２１０を介して、ユーザが実際に購入した商品１に付与されている購買情報１ａを読み取る。
【００５０】
制御装置２２０は、それら会員ＩＤと購買情報とに基づいて、商品の会計処理を行う。なお、この会計処理は公知技術であるため、詳細な説明は割愛する。
【００５１】
また、制御装置２２０は、それら会員ＩＤと購買情報を、ＰＯＳシステムサーバ４００を介して、ＵＲＬ変換サーバ５００に送る。
【００５２】
ＵＲＬ変換サーバ５００は、格納先提供装置の一例であり、通信装置５０１と、格納装置５０２と、制御装置５０３と、を含む。
【００５３】
通信装置５０１は、例えば、ＷＬＡＮ通信モジュール、または、インターネット通信モジュールであり、ＰＯＳシステムサーバ４００および携帯端末１００と通信する。
【００５４】
格納装置５０２は、格納部の一例であり、購買情報、ＵＲＬおよび会員ＩＤを項目として対応づけているレコードを格納する。ＵＲＬは、格納先情報の一例であり、購買情報にて特定される商品に対応するコンテンツの格納場所を示す。また、このコンテンツは、その商品に対応した視覚的効果のあるデジタルコンテンツ（例えば、その商品を表す画像情報）である。
【００５５】
図２は、格納装置５０２に格納されるレコードの一例を示した説明図である。
【００５６】
図２において、各レコード５０２Ａは、購買情報５０２ａと、ＵＲＬ５０２ｂと、会員ＩＤ５０２ｃと、を有する。購買情報５０２およびＵＲＬ５０２ｂは、あらかじめ登録されている。
【００５７】
図１に戻って、制御装置５０３は、格納先提供部の一例であり、ＵＲＬ変換サーバ５００の動作を制御する。
【００５８】
例えば、制御装置５０３は、通信装置５０１がＰＯＳシステムサーバ４００を介してＰＯＳ端末３００から会員ＩＤと購買情報を受け付けると、格納装置５０２を参照して、その購買情報が記録されているレコードを特定し、その特定されたレコードの会員ＩＤの項目に、その受け付けられた会員ＩＤを登録する。よって、ＰＯＳ端末３００から会員ＩＤと購買情報は、互いに対応づけられて、格納装置５０２に格納される。
【００５９】
また、制御装置５０３は、通信装置５０１が携帯端末１００から会員ＩＤを受け付けると、格納装置５０２を参照して、その会員ＩＤが記録されているレコードを選定し、その選定されたレコードのＵＲＬを読み取り、そのＵＲＬを携帯端末１００に送る。
【００６０】
コンテンツ管理サーバ６００は、コンテンツ提供装置の一例であり、通信装置６０１と、格納装置６０２と、制御装置６０３と、を含む。
【００６１】
通信装置６０１は、例えば、ＷＬＡＮ通信モジュール、または、インターネット通信モジュールであり、携帯端末１００と通信する。
【００６２】
格納装置６０２は、コンテンツ格納部の一例であり、商品に対応した視覚的効果のあるデジタルコンテンツ（例えば、その商品を表す画像情報）を格納している。
【００６３】
制御装置６０３は、コンテンツ提供部の一例であり、通信装置６０１が携帯端末１００からアクセスされると、格納装置６０２に格納されているコンテンツを携帯端末１００に送る。
【００６４】
次に、動作を説明する。
【００６５】
図３は、本発明の第１の実施例の動作を説明するためのフローチャートである。以下、図３を参照して、第１の実施例の動作を説明する。
【００６６】
まず、ユーザは、商品の購入時に、携帯端末１００の近距離通信装置１０１を、ＰＯＳ端末３００の近距離通信装置２００にかざし、近距離通信装置１０１と近距離通信装置２００との通信を可能にする。
【００６７】
ＰＯＳ端末３００の制御装置２２０は、近距離通信装置２００を用いて、近距離通信装置１０１と通信を行い、近距離通信装置１０１から会員ＩＤを得る（ステップ３０１）。
【００６８】
また、ユーザが商品１を購入するとき、その商品１の購買情報（コード）１ａが、ＰＯＳ端末３００のスキャナ２１０にかざされ、スキャナ２１０は、購買情報１ａを読み取る。
【００６９】
制御装置２２０は、それら会員ＩＤと購買情報とに基づいて、商品の会計処理を行う。
【００７０】
その後、制御装置２２０は、ＰＯＳシステムサーバ４００を用い、ＵＲＬ変換サーバ５００と通信し、ＵＲＬ変換サーバ５００に、会員ＩＤと購買情報とを送る（ステップ３０２）。
【００７１】
ＵＲＬ変換サーバ５００の通信装置５０１は、ＰＯＳ端末３００からＰＯＳシステムサーバ４００を介して会員ＩＤと購買情報を受け付けると、それら会員ＩＤと購買情報を、制御装置５０３に提供する。
【００７２】
制御装置５０３は、通信装置５０１から会員ＩＤと購買情報を受け付けると、格納装置５０２を参照して、その購買情報が記録されているレコードを特定し、その特定されたレコードの会員ＩＤの項目に、その受け付けられた会員ＩＤを登録する。
【００７３】
その後、携帯電話１００のコンテンツ要求装置１０３は、広域通信装置１０２を用い、ＵＲＬ変換サーバ５００に、会員ＩＤを送り、会員ＩＤに対応するコンテンツの獲得のためにアクセスするコンテンツ管理サーバ６００を特定するためのＵＲＬを、ＵＲＬ変換サーバ５００から獲得する（ステップ３０３）。
【００７４】
このとき、ＵＲＬ変換サーバ５００の制御装置５０３は、通信装置５０１が携帯端末１００から会員ＩＤを受け付けると、格納装置５０２を参照して、その会員ＩＤが記録されているレコードを選定し、その選定されたレコードのＵＲＬを読み取り、そのＵＲＬを携帯端末１００に送る。
【００７５】
その後、携帯電話１００のコンテンツ蓄積管理装置１０４は、その得られたＵＲＬを元に、広域通信装置１０２を用い、コンテンツ管理サーバ６００と通信し、対応するコンテンツを獲得し、格納する（ステップ３０４）。
【００７６】
その後、描画装置１０５は、コンテンツ蓄積管理装置１０４に格納されたコンテンツを描画する（ステップ３０５）。
【００７７】
また、コンテンツ蓄積管理装置１０４は、ユーザから、そのコンテンツを削除する旨の削除指示を受け付けると、そのコンテンツを削除する。
【００７８】
次に、本発明の第１の実施例の効果について説明する。
【００７９】
本発明の第１の実施例では、携帯端末１００は、ＵＲＬ変換サーバ５００から受け取った、実際にユーザが購入した商品に対応するコンテンツを特定するためのＵＲＬを元に、コンテンツを取得し格納する。これにより、携帯端末１００は、ユーザが実際に購入した商品に対応したコンテンツ（画像情報）を購買履歴として表示し、ユーザは、いつでもそのコンテンツを閲覧でき、実際に購入した商品の印象を持ち続けることができる。
【００８０】
これにより、ユーザは商品イメージを持続的に持ち続け、宣伝効果を高めるだけでなく、購買意欲が促進される。
【００８１】
コンテンツ管理サーバ６００は、商品のメーカー企業が各々に保持しており、商品に対応したコンテンツを管理している。
【００８２】
商品に対応したコンテンツは、商品のメーカー企業により消費者に与えたいイメージとなるよう工夫を凝らしロゴやＰＲ、キャラクターやアニメーションなど含めて作成される。
【００８３】
そのため、商品に対応したコンテンツは、販売促進戦略のツールとして利用することができる。
【００８４】
例えば、商品のビジュアルそのままの画像をコンテンツとして提供すると、携帯端末１００は、現実世界で実際に購入した商品に対応したコンテンツを、仮想世界で視覚的効果のあるデジタルコンテンツとして表示でき、商品の外観そのものの印象をユーザに持ち続けてもらうことができる。
【００８５】
また、実際に購入した商品に対応したコンテンツを購買履歴として、例えば食べ物であれば冷蔵庫に食品が蓄えられていくように、携帯端末に格納しておくことができるため、家計簿または健康管理など購買履歴情報をさまざまな用途に利用することができる。
【００８６】
また、ユーザは、実際に購入した商品に対応したコンテンツを、ただの文字列ではない視覚的効果のある購入履歴として閲覧、操作することができる。
【００８７】
ユーザは、実際に購入した商品に対応したコンテンツに含まれた商品のロゴやＰＲを購入後も何度も目にし、宣伝効果が生まれる。
【００８８】
また、実際に購入した商品に対応したコンテンツを閲覧する楽しみのために、ユーザは商品を購入したくなり、購買意欲を促進する。
（第２の実施例）
次に、本発明の第２の実施例の構成について図面を参照して詳細に説明する。
【００８９】
図４は、本発明の第２の実施例の購買システムを示したブロック図である。なお、図４において、図１に示したものと同一のものには同一符号を付してある。
【００９０】
第２の実施例は、第１の実施例に携帯端末７００が追加され、また、第１の実施例の携帯端末１００のコンテンツ蓄積管理装置１０４が、コンテンツ蓄積管理装置１０４ａに変更されている。以下、第２の実施例について、第１の実施例と異なる点を中心に説明する。
【００９１】
図４において、購買システムは、携帯端末１００と、携帯端末７００と、ＰＯＳ端末３００と、ＰＯＳシステムサーバ４００と、ＵＲＬ変換サーバ５００と、コンテンツ管理サーバ６００と、を含む。
【００９２】
携帯端末１００は、近距離通信装置１０１と、広域通信装置１０２と、コンテンツ要求装置１０３と、コンテンツ蓄積管理装置１０４ａと、描画装置１０５と、を含む。なお、第２の実施例では、近距離通信装置１０１として、赤外線通信モジュールが用いられる。
【００９３】
携帯端末７００は、近距離通信装置７０１と、広域通信装置７０２と、コンテンツ蓄積管理装置７０４と、描画装置７０５と、を含む。
【００９４】
コンテンツ蓄積管理装置１０４ａは、図１に示したコンテンツ蓄積管理装置１０４と同じ機能を有し、さらに、近距離通信装置１０１を用いて、携帯端末７００の近距離通信装置７０１と通信を行い、近距離通信装置７０１に、ユーザが選択したコンテンツのＵＲＬを送信する。
【００９５】
携帯端末７００の近距離通信装置７０１は、携帯端末１００の近距離通信装置１０１と同一構成であり、携帯端末７００の広域通信装置７０２は、携帯端末１００の広域通信装置１０２と同一構成であり、携帯端末７００の描画装置７０５は、携帯端末１００の描画装置１０５と同一構成である。
【００９６】
コンテンツ蓄積管理装置７０４は、近距離通信装置７０１から得られたＵＲＬを元に、広域通信装置７０２を用い、コンテンツ管理サーバ６００と通信し、対応するコンテンツを獲得し、格納、管理する。
【００９７】
なお、コンテンツ蓄積管理装置７０４は、ユーザから、そのコンテンツを削除する旨の削除指示を受け付けると、そのコンテンツを削除する。
【００９８】
次に、動作を説明する。
【００９９】
図５は、本発明の第２の実施例の動作を説明するためのフローチャートである。以下、図５を参照して、第２の実施例の動作を説明する。なお、図５において、図３で示した処理と同一の処理には同一の符号を付してあり、以下では、その処理の説明を省略する。
【０１００】
ステップ３０５が終了すると、ユーザは、他のユーザに、実際に購入した商品のコンテンツを提供するために、不図示の操作部を操作して、コンテンツ蓄積管理装置１０４ａに蓄積されているコンテンツから、提供用のコンテンツを選択する。
【０１０１】
コンテンツ蓄積管理装置１０４ａは、近距離通信装置１０１を用いて、近距離通信装置７０１と通信を行い、近距離通信装置７０１に、ユーザが選択したコンテンツのＵＲＬを送信する（ステップ５０１）。
【０１０２】
コンテンツ蓄積管理装置７０４は、得られたＵＲＬを元に、広域通信装置７０２を用いて、コンテンツ管理サーバ６００と通信し、対応するコンテンツを獲得し、格納する（ステップ５０２）。
【０１０３】
描画装置７０５は、コンテンツ蓄積管理装置７０４に格納されたコンテンツを描画する（ステップ５０３）。
【０１０４】
次に、本発明の第２の実施例の効果について説明する。
【０１０５】
本発明の第２の実施例は、第１の実施例の効果に加えて以下の効果を有する。
【０１０６】
携帯端末１００が、近距離通信装置１０１を用い、近くにある携帯端末７００に、実際に購入した商品に対応するコンテンツを特定するためのＵＲＬを送信し、携帯端末７００は、ユーザが実際に購入した商品に対応するコンテンツを表示する。
【０１０７】
このため、ユーザが購入した商品に対応するコンテンツを他のユーザに提供することができ、実際に商品を購入したユーザにのみならず、他のユーザにも、その商品の印象をつけ、宣伝効果を高め、購買意欲を促進することができる。つまり、友人、知り合い同士で交換することによって、口コミ的宣伝効果をもたらすことができる。
（第３の実施例）
次に、本発明の第３の実施例の構成について図面を参照して詳細に説明する。
【０１０８】
図６は、本発明の第３の実施例の購買システムを示したブロック図である。なお、図６において、図４に示したものと同一のものには同一符号を付してある。
【０１０９】
第３の実施例は、第２の実施例の携帯端末１００のコンテンツ蓄積管理装置１０４ａが、コンテンツ蓄積管理装置１０４ｂに変更されている。以下、第３の実施例について、第２１の実施例と異なる点を中心に説明する。
【０１１０】
図６において、携帯端末１００は、近距離通信装置１０１と、広域通信装置１０２と、コンテンツ要求装置１０３と、コンテンツ蓄積管理装置１０４ｂと、描画装置１０５と、を含む。なお、第３の実施例では、近距離通信装置１０１として、赤外線通信モジュールが用いられてもよいし、非接触ＩＣチップが用いられてもよい。
【０１１１】
コンテンツ蓄積管理装置１０４ｂは、図１に示したコンテンツ蓄積管理装置１０４と同じ機能を有し、さらに、広域通信装置１０２を用いて、携帯端末７００の広域通信装置７０２と通信を行い、広域通信装置７０２に、ユーザが選択したコンテンツのＵＲＬを送信する。
【０１１２】
コンテンツ蓄積管理装置７０４は、広域通信装置７０２から得られたＵＲＬを元に、広域通信装置７０２を用い、コンテンツ管理サーバ６００と通信し、対応するコンテンツを獲得し、格納する。
【０１１３】
なお、コンテンツ蓄積管理装置７０４は、ユーザから、そのコンテンツを削除する旨の削除指示を受け付けると、そのコンテンツを削除する。
【０１１４】
次に、動作を説明する。
【０１１５】
図７は、本発明の第３の実施例の動作を説明するためのフローチャートである。以下、図７を参照して、第３の実施例の動作を説明する。なお、図７において、図５に示した処理と同一の処理には同一の符号を付してあり、以下では、その処理の説明を省略する。
【０１１６】
ステップ３０５が終了すると、ユーザは、他のユーザに、実際に購入した商品のコンテンツを提供するために、不図示の操作部を操作して、コンテンツ蓄積管理装置１０４ｂに蓄積されているコンテンツから、提供用のコンテンツを選択する。
【０１１７】
コンテンツ蓄積管理装置１０４ｂは、広域通信装置１０２を用いて、広域通信装置７０２と通信を行い、広域通信装置７０２に、ユーザが選択したコンテンツのＵＲＬを送信する（ステップ７０１）。
【０１１８】
その後、ステップ５０２およびステップ５０３が実行される。
【０１１９】
次に、本発明の第３の実施例の効果について説明する。
【０１２０】
本発明の第３の実施例は、第１の実施例の効果に加えて以下の効果を有する。
【０１２１】
携帯端末１００が、広域通信装置１０２を用い、遠隔地にある携帯端末７００に、実際に購入した商品に対応するコンテンツを特定するためのＵＲＬを送信し、携帯端末７００は、ユーザが実際に購入した商品に対応するコンテンツを表示する。
【０１２２】
このため、ユーザが購入した商品に対応するコンテンツを他のユーザに口コミ的に提供することができ、実際に商品を購入したユーザにのみならず、他のユーザにも商品の印象をつけ、宣伝効果を高め、購買意欲を促進することができる。
【０１２３】
上記各実施例において、携帯端末１００は、商品の購入時に使用された会員ＩＤを、ＵＲＬ変換サーバ５００に送信すると、その商品に関する画像情報の格納先を示す格納先情報（ＵＲＬ）を、ＵＲＬ変換サーバ５００から受け付ける。携帯端末１００は、その格納先情報（ＵＲＬ）を用いて、その画像情報を取得し、その画像情報を蓄積管理する。
【０１２４】
このため、ユーザは、携帯端末１００に購買履歴のように格納・蓄積された、実際に購入した商品に対応した視覚的効果のあるコンテンツ（画像情報）を、インターネットの接続することなく、オフラインでスピーディに閲覧でき管理できる。
【０１２５】
また、ユーザは、携帯端末１００を利用してオフラインで頻繁にコンテンツ（画像情報）を閲覧できるため、商品イメージを持ち続けることができる。
【０１２６】
また、商品コードではなく、商品の購入時に使用された会員ＩＤを用いて、コンテンツ（画像情報）を取得できるため、商品コードを取得する煩わしさを解消することが可能となる。
【０１２７】
よって、商品イメージを、視覚的に、持続的に、かつ、容易に、ユーザに与え、宣伝効果および販売意欲を促すことが可能になる。
【０１２８】
また、上記各実施例では、コンテンツ蓄積管理装置１０４、１０４ａおよび１０４ｂは、画像情報を削除する旨の削除指示を受け付けると、その画像情報を削除する。この場合、不要な画像情報を適宜削除できる。
【０１２９】
また、上記各実施例において、携帯端末１００が、表示装置と接続されたＣＰＵ等のコンピュータを有し、そのコンピュータが、携帯端末１００の動作を規定しているプログラムを実行することによって、コンテンツ要求装置１０３と、コンテンツ蓄積管理装置１０４と、描画装置１０５が実現されてもよい。
【０１３０】
以上説明した各実施例において、図示した構成は単なる一例であって、本発明はその構成に限定されるものではない。
【０１３１】
例えば、ＰＯＳ端末３００は、ＰＯＳシステムサーバ４００を介さずに、ＵＲＬ変換サーバ５００に、会員ＩＤと購買情報を提供してもよい。
【０１３２】
なお、上記各実施例は、例えば、以下の分野での利用が考えられる。
【０１３３】
上記各実施例は、例えば、ある店舗で携帯電話搭載の非接触ＩＣチップを用い、電子マネーが利用されたときに、店頭で購入した商品に対応した視覚的効果のあるコンテンツを携帯電話に表示する、バーチャルペット育成ゲームに適用可能である。
【０１３４】
この場合、例えば、ペットの部屋にある冷蔵庫に食料を保存しているような表示が行われ、買ったものをいつでも閲覧できるような、バーチャルペット育成ゲームが実現可能となる。
【図面の簡単な説明】
【０１３５】
【図１】本発明の第１の実施例の購買システムを示したブロック図である。
【図２】格納装置５０２に格納されるレコードの一例を示した説明図である。
【図３】本発明の第１の実施例の動作を説明するためのフローチャートである。
【図４】本発明の第２の実施例の購買システムを示したブロック図である。
【図５】本発明の第２の実施例の動作を説明するためのフローチャートである。
【図６】本発明の第３の実施例の購買システムを示したブロック図である。
【図７】本発明の第３の実施例の動作を説明するためのフローチャートである。
【図８】従来の購買システムを示したブロック図である。
【符号の説明】
【０１３６】
１          商品
１ａ        コード
１００      携帯端末
１０１      近距離通信装置
１０１ａ    会員ＩＤ格納部
１０２      広域通信装置
１０３      コンテンツ要求装置
１０４、１０４ａ、１０４ｂ  コンテンツ蓄積管理装置
１０５      描画装置
２００      近距離通信装置
２１０      スキャナ
２２０      制御装置
３００      ＰＯＳ端末
４００      ＰＯＳシステムサーバ
５００      ＵＲＬ変換サーバ
５０１      通信装置
５０２      格納装置
５０３      制御装置
６００      コンテンツ管理サーバ
６０１      通信装置
６０２      格納装置
６０３      制御装置
７００      携帯端末
７０１      近距離通信装置
７０２      広域通信装置
７０４      コンテンツ蓄積管理装置
７０５      描画装置
【図１】
2007256999.tif 000003
【図２】
2007256999.tif 000004
【図３】
2007256999.tif 000005
【図４】
2007256999.tif 000006
【図５】
2007256999.tif 000007
【図６】
2007256999.tif 000008
【図７】
2007256999.tif 000009
【図８】
2007256999.tif 000010